(57)【要約】【課題】  商品を収納してある包装袋の状態がどのような状態であっても、包装袋を迅速に破断して内部の商品をスピーディーに取り出すことができる商品の汚れ防止用の包装袋の提供を課題とする。【解決手段】  ２枚の樹脂フィルム２，３からなる包装袋１は、天縁４と側縁５，７とが閉鎖されていて、底縁部６が開放状態になっている。底縁部６から商品８を内部に収納し、その後、底縁部６を折り返して接着テープ９で固定する。包装袋１の中央部には「＋」字状の点線状破断部が２本の点線状破断線１０，２０によって形成されており、その２本の点線状破断線１０，２０の延長線上には、それぞれ、指で挟持可能な「Ｕ」字状破断部が破断線１１，１２，２１，２２によって形成されている。【選択図】  図３
0003156509.tif 000002
【実用新案登録請求の範囲】
【請求項１】
左右側縁と天縁の三方が閉鎖された樹脂フィルム製の袋体であって、開放されている底縁部から被包装物を内部に収納した後、前記底縁部を折り曲げて、当該折り曲げられた折曲部をそれと対向する部分に固定することにより前記被包装物を包装する商品の汚れ防止用の包装袋において、
前記折曲部が折り曲げられた状態で、前記包装袋の中央部となる位置に、前記包装袋の表裏面を点線状に貫通して破断する２本の点線状破断線によって形成される「＋」字状の点線状破断部が、それぞれの前記点線状破断線が各々前記左右側縁と前記天縁とに略平行となるように配設され、
前記２本の点線状破断線のうち少なくとも一方の前記点線状破断線の両端の延長線上には、それぞれ、前記包装袋の表裏面を貫通して破断する破断線によって形成される「Ｕ」字状破断部が、その破断されていない上部が前記「＋」字状の点線状破断部の交点方向に位置するように配設されていることを特徴とする商品の汚れ防止用の包装袋。
【請求項２】
左右側縁と底縁の三方が閉鎖された樹脂フィルム製の袋体であって、開放されている天縁部から被包装物を内部に収納した後、前記天縁部を折り曲げて、当該折り曲げられた折曲部をそれと対向する部分に固定することにより前記被包装物を包装する商品の汚れ防止用の包装袋において、
前記折曲部が折り曲げられた状態で、前記包装袋の中央部となる位置に、前記包装袋の表裏面を点線状に貫通して破断する２本の点線状破断線によって形成される「＋」字状の点線状破断部が、それぞれの前記点線状破断線が各々前記左右側縁と前記底縁とに略平行となるように配設され、
前記２本の点線状破断線のうち少なくとも一方の前記点線状破断線の両端の延長線上には、それぞれ、前記包装袋の表裏面を貫通して破断する破断線によって形成される「Ｕ」字状破断部が、その破断されていない上部が前記「＋」字状の点線状破断部の交点方向に位置するように配設されていることを特徴とする商品の汚れ防止用の包装袋。
【考案の詳細な説明】
【技術分野】
【０００１】
本考案は、内部に収納した商品を、流通運搬中の汚れから守り、商品を販売する店頭においては容易に破断して内部の商品を迅速に取り出すことができる商品の汚れ防止用の包装袋に関するものである。
【背景技術】
【０００２】
現在、雑貨や衣服等の多数の商品は、生産コストの低い海外で生産され、現地で、運搬途中での汚れを防ぐ目的の包装が施された後に、最終消費地の店頭に運搬されている。
【０００３】
このような最終消費地の店頭においては、生産地で施された包装袋を破断し内部の商品を取り出して、店頭に展示して販売している。
【０００４】
このような運搬中の商品の汚れを防ぎ、店頭で破断される包装袋としては、店頭での破断が容易に行なえるように、予め破断線を形成しておく包装袋が既に提案されている（実用新案登録第３１１４６２７号公報）
【０００５】
このような従来の包装袋においては、形成されている破断線の両側を指で摘んで引っ張ることにより、包装袋を容易に破断することが出来て、内部の商品を迅速に取り出すことができる。
【先行技術文献】
【特許文献】
【０００６】
【特許文献１】実用新案登録第３１１４６２７号公報
【考案の概要】
【考案が解決しようとする課題】
【０００７】
しかしながら、このような従来の包装袋においては、収納されている内部の商品の大きさが大きい場合には、包装袋全体の表面が引っ張られた状態になってしまうために、破断線の両側を指で摘むことが容易に出来ず、従って商品を包装袋からスピーディーに取り出すことが出来なくなってしまうという問題があった。
【課題を解決するための手段】
【０００８】
以上の問題点を解決するために、本考案の第１の手段は、左右側縁と天縁の三方が閉鎖された樹脂フィルム製の袋体であって、開放されている底縁部から被包装物を内部に収納した後、前記底縁部を折り曲げて、当該折り曲げられた折曲部をそれと対向する部分に固定することにより前記被包装物を包装する商品の汚れ防止用の包装袋において、前記折曲部が折り曲げられた状態で、前記包装袋の中央部となる位置に、前記包装袋の表裏面を点線状に貫通して破断する２本の点線状破断線によって形成される「＋」字状の点線状破断部が、それぞれの前記点線状破断線が各々前記左右側縁と前記天縁とに略平行となるように配設され、前記２本の点線状破断線のうち少なくとも一方の前記点線状破断線の両端の延長線上には、それぞれ、前記包装袋の表裏面を貫通して破断する破断線によって形成される「Ｕ」字状破断部が、その破断されていない上部が前記「＋」字状の点線状破断部の交点方向に位置するように配設されていることを特徴とするものである。
【０００９】
また、以上の問題を解決するために、本考案の第２の手段は、左右側縁と底縁の三方が閉鎖された樹脂フィルム製の袋体であって、開放されている天縁部から被包装物を内部に収納した後、前記天縁部を折り曲げて、当該折り曲げられた折曲部をそれと対向する部分に固定することにより前記被包装物を包装する商品の汚れ防止用の包装袋において、前記折曲部が折り曲げられた状態で、前記包装袋の中央部となる位置に、前記包装袋の表裏面を点線状に貫通して破断する２本の点線状破断線によって形成される「＋」字状の点線状破断部が、それぞれの前記点線状破断線が各々前記左右側縁と前記底縁とに略平行となるように配設され、前記２本の点線状破断線のうち少なくとも一方の前記点線状破断線の両端の延長線上には、それぞれ、前記包装袋の表裏面を貫通して破断する破断線によって形成される「Ｕ」字状破断部が、その破断されていない上部が前記「＋」字状の点線状破断部の交点方向に位置するように配設されていることを特徴とするものである。
【考案の効果】
【００１０】
本考案によれば、商品を収納してある包装袋の状態がどのような状態であっても、包装袋を迅速に破断して内部の商品をスピーディーに取り出すことができる。
【図面の簡単な説明】
【００１１】
【図１】本考案の実施例１の構成を示す構成図である。
【図２】本考案の実施例１の使用方法の説明図である。
【図３】本考案の実施例１の使用方法の説明図である。
【考案を実施するための形態】
【００１２】
以下、図面を用いて本考案の実施例について説明する。
【実施例１】
【００１３】
図１は、本考案の実施例１に係る包装袋の平面構成を示した構成図である。
【００１４】
図１に示した包装袋１は、長方形の表面側の樹脂フィルム２と、これと同じ大きさの裏面側の樹脂フィルム３とを重ね合わせた状態にして、天縁４と左右側縁５，７をヒートシール等によって固着させることによって形成されている。ここで、本実施例１においては、底縁部６は開放された状態となっている。
【００１５】
この開放されている底縁部６から、図２に示したように商品８を内部に収納して、図３に示したように底縁部６を折り曲げて、その折曲部を接着テープ９等で対向する部分に固定して商品８を包装状態にする。
【００１６】
図３に示したように、底縁部６が折り曲げられた状態において、包装袋１の中央部となる部分には、２本の点線状破断線１０，２０によって「＋」字状の点線状破断部が形成されている。
【００１７】
図１に示した点線状破断線１０，２０は、包装袋１の表裏面を形成する樹脂フィルム２，３を点線状に貫通して破断する点線状破断線であって、プレス等によって形成されている。
【００１８】
また、この２本の点線状破断線１０，２０は、それぞれ天縁４と左右側縁５，７とに略平行となるように配設されている。
【００１９】
点線状破断線１０，２０のそれぞれの両端の延長線上には、包装袋１の表裏面を貫通して破断する破断線１１，１２，２１，２２によって４つの「Ｕ」字状破断部が形成されている。この「Ｕ」字状破断部は、それぞれ破断されていない「Ｕ」字状の上部が、点線状破断線１０，２０からなる「＋」字状点線破断部の交点方向に位置するように配設されている。
【００２０】
以上のように構成された本実施例１によれば、図３に示したように商品８を包装した際、たとえ商品８の大きさが大きくて包装袋１の表裏面が引っ張られた状態になっていたとしても、対向して配設されている２つの「Ｕ」字状破断部を指で摘んで引っ張ることにより容易に包装袋１を点線状破断線１０または２０に沿って迅速に破断することができて、収納されている商品を取り出すことができる。
【００２１】
以上説明した本実施例１においては、点線状破断線１０，２０の両端の延長線上にそれぞれ「Ｕ」字状破断部が配設されている構成となっているが、対向する１対の「Ｕ」字状破断部、例えば破断線１１，１２によって形成される１対の「Ｕ」字状破断部が形成されていれば本考案の効果は得ることができる。
【００２２】
また、本実施例１においては、図１において、便宜上４を天縁とし６を底縁部としたが、４を底縁と呼称し、６を天縁部と呼称してもよい。
【００２３】
さらに、本考案における「Ｕ」字状破断部は、包装された商品８に対しては空気孔としても機能するものである。
【符号の説明】
【００２４】
１  包装袋
２，３  樹脂フィルム
４  天縁
５，７  側縁
６  底縁部
８  商品
９  接着テープ
１０，２０  点線状破断線
１１，１２，２１，２２  破断線
【図１】
0003156509.tif 000003
【図２】
0003156509.tif 000004
【図３】
0003156509.tif 000005